(57)【要約】【課題】固着具を貫通させるに当たり、芯材を貫通させる必要がないサンドイッチパネルを提供する。【解決手段】本発明は、表側金属外皮２と裏側金属外皮３との間に芯材４が充填されたサンドイッチパネル１である。一方の端部に設けられた第１の接続部１２と、他方の端部に設けられ隣接する他のサンドイッチパネル１の第１の接続部１２に接続される第２の接続部１１とを備えている。第１の接続部１２は接続方向に突出する突出片１５を有している。第２の接続部１１は、前記表側金属外皮２により形成され且つ前記突出片１５と嵌合する凹溝部２５と、隣接する他のサンドイッチパネル１の裏側に位置し建物躯体へ固定するための固定片１３とを有している。【選択図】図１
2013087421.tif 000002
【特許請求の範囲】
【請求項１】
表側金属外皮と裏側金属外皮との間に芯材が充填されたサンドイッチパネルであって、
一方の端部に設けられた第１の接続部と、
他方の端部に設けられ隣接する他のサンドイッチパネルの第１の接続部に接続される第２の接続部と
を備え、
前記第１の接続部は接続方向に突出する突出片を有しており、
前記第２の接続部は、
前記表側金属外皮により形成され且つ前記突出片と嵌合する凹溝部と、
隣接する他のサンドイッチパネルの裏側に位置し建物躯体へ固定するための固定片と
を有している
ことを特徴とするサンドイッチパネル。
【請求項２】
前記固定片が、
前記凹溝部の裏側の端縁から接続方向に突出した表側延設片と、
前記裏側金属外皮の第２の接続部側の端部から接続方向に突出し且つ前記表側延設片に重合される裏側延設片と
により構成されている
ことを特徴とする請求項１記載のサンドイッチパネル。
【請求項３】
前記第２の接続部は、前記凹溝部よりも表側に、接続方向に突出して隣接する他のサンドイッチパネルの端面に当接する膨出部が形成されている
ことを特徴とする請求項１又は請求項２のいずれかに記載のサンドイッチパネル。
【発明の詳細な説明】
【技術分野】
【０００１】
本発明は、表側金属外皮と裏側金属外皮との間に芯材が充填されたサンドイッチパネルに関する。
【背景技術】
【０００２】
従来、表側金属外皮と裏側金属外皮との間に芯材が充填されたサンドイッチパネルが知られている（例えば特許文献１参照）。この種のサンドイッチパネルは、一方の端部に設けられた嵌合凸部と、他方の端部に設けられた嵌合凹部とを備えている。サンドイッチパネルは、この嵌合凸部と嵌合凹部とを凹凸嵌合することで、隣接する他のサンドイッチパネルに連結される。
【０００３】
この特許文献１のサンドイッチパネルは、胴縁の前面に配置された状態で、表側金属外皮の前面から釘等の固着具が打入されて、当該胴縁に固着される。サンドイッチパネルの表側金属外皮の前方から打入された固着具は、表側金属外皮・芯材・裏側金属外皮の順に貫通し、その後胴縁に埋め込まれる。
【先行技術文献】
【特許文献】
【０００４】
【特許文献１】特開平０８−３０２９６３号公報
【発明の概要】
【発明が解決しようとする課題】
【０００５】
ところで固着具をサンドイッチパネル及び胴縁に打入するには、表側金属外皮と裏側金属外皮だけでなく、芯材をも貫通させなければならない。このため、表側金属外皮と芯材と裏側金属外皮の３者を同時に貫通させる必要がある。表側金属外皮の表側から固着具を打入すると、芯材に用いる材料によっては、表側金属外皮が凹んで外観を損なう場合がある。この場合、施工者の熟練度によって仕上がりにばらつきが生じやすいものとなる。
【０００６】
本発明は、上記事情に鑑みてなされたものであり、その目的とするところは、固着具を貫通させるに当たり、芯材を貫通させる必要がないサンドイッチパネルを提供することにある。
【課題を解決するための手段】
【０００７】
本発明は、表側金属外皮２と裏側金属外皮３との間に芯材４が充填されたサンドイッチパネル１であって、一方の端部に設けられた第１の接続部１２と、他方の端部に設けられ隣接する他のサンドイッチパネル１の第１の接続部１２に接続される第２の接続部１１とを備え、前記第１の接続部１２は接続方向に突出する突出片１５を有しており、前記第２の接続部１１は、前記表側金属外皮２により形成され且つ前記突出片１５と嵌合する凹溝部２５と、隣接する他のサンドイッチパネル１の裏側に位置し建物躯体へ固定するための固定片１３とを有していることを特徴とする。
【０００８】
このような構成によれば、建物躯体へ固定するための固定片１３が設けられているため、固着具６０を打入するのが容易となる。しかも固着具６０が打入された固定片１３は、隣接する他のサンドイッチパネル１の裏側に位置するため、設置された状態で固着具６０が目立つことがなく、外観を良好に保つことができる。
【０００９】
またこのサンドイッチパネル１において、前記固定片１３が、前記凹溝部２５の裏側の端縁から接続方向に突出した表側延設片２６と、前記裏側金属外皮３の第２の接続部１１側の端部から接続方向に突出し且つ前記表側延設片２６に重合される裏側延設片３２とにより構成されていることが好ましい。
【００１０】
このような構成によれば、固定片１３が、裏側延設片３２と表側延設片２６とで構成されているため、強度が強くなる。
【００１１】
またこのサンドイッチパネル１において、前記第２の接続部１１は、前記凹溝部２５よりも表側に、接続方向に突出して隣接する他のサンドイッチパネル１の端面に当接する膨出部２４が形成されていることが好ましい。
【００１２】
このような構成によれば、凹溝部２５及び固定片１３だけでなく、膨出部２４でも浸水を防止できて、止水性を向上させることができる。
【発明の効果】
【００１３】
本発明のサンドイッチパネルによれば、サンドイッチパネルを設置するにあたり、固着具を芯材に貫通させる必要がなくなる。
【図面の簡単な説明】
【００１４】
【図１】本発明の実施形態１の隣接するサンドイッチパネルを接続した状態の側断面図である。
【図２】実施形態１のサンドイッチパネルにおける接続直前の状態を示す側断面図である。
【図３】実施形態１のサンドイッチパネルの側断面図である。
【図４】実施形態１のサンドイッチパネルの取付状態の一部破断した斜視図である。
【図５】実施形態２のサンドイッチパネルにおける接続直前の状態を示す側断面図である。
【図６】実施形態１，２の変形例の図であり（ａ）は斜視図であり（ｂ）は水平断面図である。
【図７】（ａ）は芯材の変形例を示す斜視図であり、（ｂ）はさらに他の芯材の変形例を示す斜視図である。
【発明を実施するための形態】
【００１５】
以下、本発明の実施形態について添付図面に基づいて説明する。なお、以下の説明においては、便宜上、矩形状のパネルのうち長さの短い辺に沿った方向を幅方向とし、この幅方向に直角で且つパネルに沿った方向を長さ方向と定義し、厚み方向を前後方向と定義する。また実施形態１，２においては、接続方向と幅方向とを同方向とし、特に、接続方向においてパネルから離れる方向を、接続方向の外側と定義する。
【００１６】
実施形態１のサンドイッチは、図４に示されるような横張り用の建築用パネルであり、建物の外壁材として用いられる。なお、本実施形態のサンドイッチパネル１は、外壁材としてだけでなく、内壁材や屋根材や天井材として用いられる場合もあり、用途は特に限定されない。
【００１７】
本実施形態のサンドイッチパネル１は、幅方向の一方の端部に設けられた第１の接続部１２と、幅方向の他方の端部に設けられた第２の接続部１１とを備えている。サンドイッチパネル１は、図１に示されるように、第１の接続部１２と第２の接続部１１とを接続させることで、隣接する他のサンドイッチパネル１に接続されるよう構成されている。
【００１８】
また本実施形態のサンドイッチパネル１は、図３に示されるように、表面板を構成する表側金属外皮２と、この表側金属外皮２に対向配置されると共に裏面板を構成する裏側金属外皮３と、この表側金属外皮２と裏側金属外皮３との間に配設された芯材４とを備えている。本実施形態のサンドイッチパネル１は、例えば、働き幅約４００ｍｍ・厚み約２０ｍｍにて形成され、長さ方向の寸法は任意の寸法に設定される。
【００１９】
表側金属外皮２及び裏側金属外皮３は、例えば厚み０．３５〜０．８ｍｍ程度の金属板を、プレス加工等の曲げ加工を施すことにより形成される。この表側金属外皮２及び裏側金属外皮３の母材となる金属板は、亜鉛めっき鋼板や塗装鋼板、ガルバリウム鋼板（登録商標）、ステンレス鋼板等により構成される。
【００２０】
表側金属外皮２は、図３に示されるように、建物外壁面を構成する表側本体部２１と、第１の接続部１２を形成する表側第１接続部２７と、第２の接続部１１を形成する表側第２接続部２２とを備えている。表側金属外皮２は、ロール成形等の曲げ加工により成形されており、表側本体部２１と表側第１接続部２７と表側第２接続部２２とが一体となるよう形成されている。
【００２１】
表側第１接続部２７は、逆Ｌ字状に屈曲形成された屈曲片２８を有している。この屈曲片２８は、下方に臨む端面が、下方側に隣接する他のサンドイッチパネル１の膨出部２４に当接する当接面２９を構成する。
【００２２】
表側第２接続部２２は、図１に示されるように、表側本体部２１の上端縁から後方側に連設された端面部２３と、端面部２３の後方側の端縁から上方（つまり、接続方向の外側）に向けて突設された膨出部２４と、この膨出部２４の端縁から中央側（接続方向の内側）に向けて連設された凹溝部２５と、この凹溝部２５の裏側の端縁から上方に向けて突設された表側延設片２６とを備えている。これら端面部２３・膨出部２４・凹溝部２５・表側延設片２６は全て曲げ加工により一体成形されている。
【００２３】
裏側金属外皮３は、裏側本体部３１により主体が構成されている。裏側金属外皮３は、この裏側本体部３１と、裏側本体部３１の第１の接続部１２側の端縁から下方に向けて突設されて表側第１接続部２７とで第１の接続部１２を形成する裏側折返し片３３と、裏側本体部３１の第２の接続部１１側の端部から上方に向けて突設されて表側第２接続部２２とで前記第２の接続部１１を形成する裏側延設片３２とを備えている。この裏側延設片３２は、表側金属外皮２の表側延設片２６と重合されるよう構成されており、当該表側延設片２６とで固定片１３を構成する。また裏側折返し片３３は、裏側金属外皮３の端縁を折り返すことで形成されており、表側金属外皮２の逆Ｌ字状に形成された屈曲片２８の下端を覆うことで、突出片１５を形成する。
【００２４】
固定片１３は、第２の接続部１１に設けられている。固定片１３は、その上端が、第１の接続部１２の膨出部２４よりも上方に位置しており、隣接する他のサンドイッチパネル１に接続された状態では、当該他のサンドイッチパネル１の後方に位置して背部に重なるよう構成されている。固定片１３は、図２に示されるように、固着具６０が打入されることで建物躯体に固着され、すなわち、サンドイッチパネル１における建物躯体への固定部を構成する。また固定片１３は、その先端が、前方に向けて屈曲する当接片部１４となっており、隣接する他のサンドイッチパネル１の背面に弾性的に当接する。
【００２５】
突出片１５は、第１の接続部１２に設けられており、接続方向の外側（下方）に向けて突設されている。突出片１５は、下方に隣接する他のサンドイッチパネル１の第２の接続部１１の凹溝部２５に嵌合する。突出片１５は、凹溝部２５に嵌合することで、設置されたサンドイッチパネル１の下端部の前後方向の位置決めを行なうと共に止水性を向上させる。突出片１５は、その厚みが、凹溝部２５の内側面の対向間の距離よりもやや薄くなるよう形成されている。
【００２６】
芯材４は、表側金属外皮２と裏側金属外皮３との間に充填される。芯材４は、例えば、ロックウールやグラスウールなどの無機質断熱材や、ウレタンフォーム・スチレンフォーム・フェノールフォーム・ポリイソシアヌレートフォーム等の合成樹脂発泡体からなる断熱材や、石膏ボード・ケイ酸カルシウム板・水酸化アルミニウム板等の無機質板などが用いられる。また、ペンタンからなる発泡剤により構成されたフロン不使用の発泡断熱材を用いてもよい。芯材４としては、これら複数種類を組み合わせて形成してもよいし、どれか一つだけを用いてもよい。
【００２７】
あるいは芯材４は、図７（ａ）（ｂ）に示されるように、ハニカム構造体４１により構成されていてもよい。ハニカム構造体４１は、断面角型あるいは断面円形の貫通孔４２が敷き詰められた構造体である。ハニカム構造体４１は、紙、ダンボール、プラスチック等により構成される。ハニカム構造体４１は、各貫通孔４２が断面六角形状のものに限定されない。例えば図７（ｂ）のように、ダンボールの断面のように波形隔壁により形成されたものであってもよい。また、ハニカム構造体４１は、図７（ａ）のように、貫通孔４２の連通方向が、表側金属外皮２及び裏側金属外皮３に直角な方向に向くよう配置されてもよい。あるいは、図７（ｂ）のように、貫通孔４２の連通方向が、サンドイッチパネル１の長さ方向と平行になるよう配置されていてもよいし、特に図示しないが、幅方向と平行になるよう配置されてもよい。
【００２８】
芯材４がハニカム構造体４１により構成されると、軽量化が図れると共にコスト的にも安価に製造可能である。
【００２９】
このような構成の本実施形態のサンドイッチパネル１は、図４に示されるように取り付けられる。以下、施工者が本実施形態のサンドイッチパネル１を取り付ける場合につき説明する。
【００３０】
本実施形態の建築用パネルは、水平方向に所定のピッチで離設された縦胴縁５に取り付けられる。縦胴縁５は、図４に示されるように、例えば角柱により構成されており、床スラブ５２上に立設される。なお、縦胴縁５は角柱でなくてもよく、例えばＨ型鋼やＣ型鋼やアングル材などにより構成されていてもよい。
【００３１】
この縦胴縁５に本実施形態のサンドイッチパネル１を取り付ける。まず施工者は、縦胴縁５に沿って最下段のサンドイッチパネル１を配置し、この状態で固定片１３に固着具６０を打入する。固着具６０は、表側延設片２６と裏側延設片３２とを貫通し、その後その先端が縦胴縁５に埋入する。これにより固定片１３は、固着具６０を介して縦胴縁５に固着される。
【００３２】
また最下段のサンドイッチパネル１の下端は、例えば、第１の接続部１２の突出片１５の前後方向の位置決めをする固定金具５１（本実施形態ではスターター）を介して固定される。
【００３３】
次いで施工者は、既に設置されたサンドイッチパネル１の上段のサンドイッチパネル１を設置する。施工者は、上段のサンドイッチパネル１を傾倒させながら第１の接続部１２の突出片１５を、既設のサンドイッチパネル１の第２の接続部１１の凹溝部２５に臨ませ、そのまま突出片１５を凹溝部２５に挿入する。この時、既設のサンドイッチパネル１の膨出部２４と上段のサンドイッチパネル１の下端との当接部分を支点にして、上段の傾倒した状態のサンドイッチパネル１を起こす。すると、上段のサンドイッチパネル１の背面が、既設のサンドイッチパネル１の固定片１３の当接片部１４に弾性的に当接する。この後、施工者は、上段のサンドイッチパネル１の固定片１３に固着具６０を打入して、上段のサンドイッチパネル１を固着する。
【００３４】
ここで、図１に示されるように、下段のサンドイッチパネル１の膨出部２４と、上段のサンドイッチパネル１の下端の当接面２９との間には、パッキン６１が介装される。なおこのパッキン６１は、下段のサンドイッチパネル１を設置した時点で、上段のサンドイッチパネル１を設置する前に、予め設置しておくことが好ましい。
【００３５】
このように本実施形態のサンドイッチパネル１は、建物躯体への固定部となる固定片１３が、表側金属外皮２と裏側金属外皮３とで構成されており、芯材４を介在していないため、固着具６０を打入する際に金属外皮２，３を貫通させるだけでよく、施工が容易となる。しかも固着具６０が打入された固定片１３は、隣接する他のサンドイッチパネル１の背部に重なるため、設置された状態で固着具６０を覆うことができ、外観を良好に保つことができる。
【００３６】
また本実施形態のサンドイッチパネル１は、固定片１３が、表側金属外皮２と裏側金属外皮３とで構成されているため、表側金属外皮２の一枚だけで固定片１３が構成されたものよりも、固定片１３自体の強度が強い。
【００３７】
また本実施形態のサンドイッチパネル１は、他のサンドイッチパネル１の端面に当接する膨出部２４が設けられているため、凹溝部２５及び固定片１３の２箇所だけでなく、膨出部２４でも浸水を防止することができる。特に、本実施形態のサンドイッチパネル１は、端面部２３の奥側に膨出部２４が設けられているため、膨出部２４と当接面２９との間のパッキン６１を、凹所７の奥側に位置させることができて、止水性を向上させることができる。しかも、端面部２３と第１の接続部１２の当接面２９とは、所定寸法離間しているため、毛細管現象により水を引き込みにくい。
【００３８】
また本実施形態のサンドイッチパネル１は、第１の接続部１２側の端部が、表側本体部２１の下端から後方に略直角に連設された当接面２９を有しており、下方に隣接する他のサンドイッチパネル１に接続されると、当該当接面２９と第２の接続部１１の端面部２３とが所定寸法離間した状態で対向する。すなわち、接続状態における当接面２９と端面部２３と膨出部２４の表側の面とで形成される凹所７は、表面側に開口するためシーリング材を配設しやすい。
【００３９】
次に、実施形態２について図５に基づいて説明する。なお、本実施形態は実施形態１と大部分において同じであるため、同じ部分においては同符号を付して説明を省略し、主に異なる部分について説明する。
【００４０】
本実施形態のサンドイッチパネル１は、実施形態１のサンドイッチパネル１に対し、膨出部２４が設けられていない点でのみ異なっている。本実施形態のサンドイッチパネル１は、表側本体部２１の上端縁から後方に向けて連設された端面部８と、この端面部８の後方側の端縁から接続方向の内側に向けて連設された凹溝部２５と、凹溝部２５の裏側の端縁から上方に向けて突設された表側延設片２６とを備えている。
【００４１】
実施形態１のサンドイッチパネル１は膨出部２４にパッキン６１が配設されていたが、本実施形態のサンドイッチパネル１は、端面部８にパッキン６１が配設される。すなわち本実施形態においては、この端面部８がパッキン配設部を構成している。
【００４２】
このような構成によれば、設置された状態において、隣接するサンドイッチパネル１の間に位置する目地部分の幅を短くでき、当該目地部分を目立たないようにできる。
【００４３】
実施形態１，２のサンドイッチパネル１は、図４に示されるように、長さ方向の両端が切断面となっており、当該端面から芯材が露出した、いわゆる端部切断タイプのサンドイッチパネルである。これに対し本発明のサンドイッチパネルは、例えば次の変形例のような構造であってもよい。
【００４４】
この変形例のサンドイッチパネルは、図６に示されるように、表側金属外皮２の長さ方向の両端から芯材４側に向けて突設された側端部９０と、この側端部９０の突出端から芯材４側とは反対側に向けて且つ表側金属外皮２の表面と略平行するよう突出した突出片９１とを備えている。側端部９０は、その突出先端が、サンドイッチパネル１の厚み方向の中間に位置している。側端部９０と突出片９１とは、表側金属外皮２の長さ方向の両側にそれぞれ設けられている。側端部９０と突出片９１とは、表側金属外皮２の長さ方向の端部を曲げ加工等することで、表側金属外皮２と一体成形されている。
【００４５】
なお、本実施形態の側端部９０と突出片９１とは、幅方向両端面を構成する表側第１接続部２７及び表側第２接続部２２とは縁が切れており、連続していない。
【００４６】
表側金属外皮２の幅方向両端の構造や、裏側金属外皮３や芯材４等のその他の構造は、実施形態１，２と同様である。
【００４７】
なお、上記変形例において、側端部９０だけを設け、突出片９１を設けないものであってもよい。
【符号の説明】
【００４８】
１      サンドイッチパネル
１１    第２の接続部
１２    第１の接続部
１３    固定片
１４    当接片部
１５    突出片
２      表側金属外皮
２１    表側本体部
２４    膨出部
２５    凹溝部
２６    表側延設片
２８    屈曲片
３      裏側金属外皮
３１    裏側本体部
３２    裏側延設片
３３    裏側折返し片
４      芯材
６０    固着具
６１    パッキン
【図１】
2013087421.tif 000003
【図２】
2013087421.tif 000004
【図３】
2013087421.tif 000005
【図４】
2013087421.tif 000006
【図５】
2013087421.tif 000007
【図６】
2013087421.tif 000008
【図７】
2013087421.tif 000009